(57)【特許請求の範囲】
【請求項１】
軸部先端に首部を介してボール状６角部を有し、該ボール状６角部を６角穴付きボルトの６角穴に挿し込んで回動することで、該６角穴付きボルトの締め付けまたは緩め操作を可能にするボールポイントヘキサゴンレンチにおいて、上記ボール状６角部の先端部の互いに収束する６つの側面のそれぞれを、上記ボール状６角部の外部にそれぞれ中心を有する円弧のそれぞれに沿った形状に形成することにより、上記首部が上記６角穴の開口縁に接触してからも上記軸部をさらに傾倒可能とせしめてなる、ボールポイントヘキサゴンレンチ。
【発明の詳細な説明】
【０００１】
【産業上の利用分野】
本発明は、自動車のエンジンルーム等の複雑で狭い場所に取り付けられた６角穴付きボルト等を、鉛直以外の方向から締め付けおよび緩めるのに使用するボルト駆動用工具であるボールポイントヘキサゴンレンチに関する。
【０００２】
【従来の技術】
従来よりエンジンルーム等の複雑で狭い場所に取り付けられた６角穴付きボルトを締め付けまたは緩める場合において、鉛直方向における作業スペースが十分でない場合には、斜めからボールポイントヘキサゴンレンチを挿入し、上記６角穴付きボルトの締め付けおよび緩め作業を行う必要がある。
【０００３】
また、高トルクが必要な時には、ボールポイントでない、図５に示すようなＬ字形のいわゆるヘキサゴンレンチ５１を用いたり、図６に示すようなボールポイントヘキサゴンレンチ５２のボール側とは反対の短い部分を使用する必要がある。
【０００４】
一方、上記のようなボールポイントヘキサゴンレンチは傾倒可能角度を持たせるために、例えば図７および図８に示すように、ボールポイント部分をボール形状に加工したボール状６角部５３を持っているが、従来の物は、このボール形状の半径の中心である傾倒中心Θを、図９および図１０に示すように、６角穴付きボルト５４の６角穴５５の図心Ｐ近辺に置いている。
【０００５】
そのために傾倒角度を大きくとろうとすると、首部５６が細くなってしまうため、強度上の問題から傾倒角度を余り大きくとれなかった。
【０００６】
また、図１１および図１２に示すように、凹所５７内のボルト５４を外す場合には、初めのうちは、ボール状６角部５３の６角穴５５内の動きが円滑であるため、ヘキサゴンレンチ５８の回転操作を斜め方向からスムースに行える（図１１）。
【０００７】
しかし、ボルト５４が抜け出てくるに従って、ヘキサゴンレンチ５８の傾倒角度が大きくなり、遂には、ボール状６角部５３が６角穴５５に入った状態にて、軸部５８が凹所５７の開口縁に、図１２のように当たる。
【０００８】
このため、首部５６がその開口縁に当たることにより、ボルト５４の回転操作が不能になるほか、ヘキサゴンレンチ５８が６角穴５５から取り外せなくなる。また、首部５６を細くしないで、より大きな傾倒角度を持たせるために、図１３および図１４に示すように、略楕円形のボール状６角部５３Ａをヘキサゴンレンチの軸５９端に設けて、領域ｂで示す円状の偏心領域内に複数の傾倒中心から得られるようにし、図１５および図１６に示すような、大きな傾動角Ｃが得られるようにしたものも提案されている。
【０００９】
【発明が解決しようとする課題】
しかしながら、これらの傾倒中心はいずれも想定されるボルト５４の６角穴５５の中にあって、穴深さの中程に位置し、首部５６，６０の太さを確保すると傾倒角度を余り大きくできないという不都合がある。
【００１０】
一方、図１７に示すように大きな傾倒角度（例えば３５°）を持たせると、図１８に示すように、例えばボール状６角部５３の先端の最大径付近の峰部Ｂが６角穴５５の壁面Ａと干渉し、スムーズな回転を伝えることができず、レンチの抜き差しも不可能になるなどの問題点があった。
【００１１】
また、スムーズな回転を実現させるため、上記峰部Ｂの干渉をさける目的で、ボール状６角部５３の峰部Ｂに丸味をつけると、図１９に示すように、鉛直近辺では６角穴５５の壁面との間に、回転方向の遊びＤが増してしまい、確実にトルクを伝えることがむずかしくなってしまう。
【００１２】
この発明は、上記のような従来の問題点を解消するためになされたもので、従来のように大きな傾倒角度を持たせるために首部を細くする必要がなく、鉛直方向付近の使用においては遊びを増大させることなく、大きな傾倒角度を以って使用するときにおいては、６角穴に対し容易に工具の抜き差しを可能にし、かつスムーズに回転を伝える等、強度および耐久性を犠牲にすることなく利便性を向上できるボールポイントヘキサゴンレンチを得ることを目的とする。
【００１３】
【課題を解決するための手段】
この発明に係るボールポントヘキサゴンレンチは、軸部先端に首部を介してボール状６角部を有し、該ボール状６角部を６角穴付きボルトの６角穴に挿し込んで回動することで、該６角穴付きボルトの締め付けまたは緩め操作を可能にするボールポイントヘキサゴンレンチにおいて、上記ボール状６角部の先端部の互いに収束する６つの側面のそれぞれを、上記ボール状６角部の外部にそれぞれ中心を有する円弧のそれぞれに沿った形状に形成することにより、上記首部が上記６角穴の開口縁に接触してからも上記軸部をさらに傾倒可能とせしめたものである。
【００１４】
【作用】
この発明に係るボールポイントヘキサゴンレンチによれば、ボール状６角部の先端部の互いに収束する６つの側面のそれぞれが、上記ボール状６角部の外部にそれぞれ中心を有する円弧のそれぞれに沿った形状に形成されているので、上記首部が上記６角穴の開口縁に接触してからも、上記円弧の中心のいずれかを傾倒中心として、上記軸部をさらに傾倒させることができる。よって、本発明によれば、首部を細くすることなしに、傾倒角度の大きいボールポイントヘキサゴンレンチを提供することができる。
【００１７】
【実施例】
以下、添付図面を参照して、本発明の一実施例を説明する。図１は、本発明の一実施例に係るボールポイントヘキサゴンレンチの要部正面図である。
【００１８】
図１に示すように、本実施例に係るボールポイントヘキサゴンレンチは、上下方向の軸線Ｘを有する軸部３と、該軸部３の下端にくびれた首部２を介して形成されたボール状６角部１と、を備えている。該ボール状６角部１は、全体として略鏑形状をなし、上記首部２に連続するとともに該首部２から遠ざかるにつれて６角形の断面（ボールポイントヘキサゴンレンチの軸線Ｘに対して直角な断面）が徐々に大きくなる断面積逓増部１ａと、６角形の断面積最大部１ｂを介して上記断面積逓増部１ａに連続するとともに上記断面積最大部１ｂから遠ざかるにつれて６角形の断面が徐々に小さくなる断面積逓減部１ｃと、を備えている。上記断面積逓増部１ａを形成するの６つの側面は、それぞれ、小半径の円弧に沿った形状に形成されている。一方、上記断面積逓減部１ｃを形成する６つの側面は、それぞれ、大半径の円弧Ｅのそれぞれに沿った形状に形成され、上記ボールポイントヘキサゴンレンチの軸線Ｘ上の一点に収束している。上記各大半径の円弧Ｅのそれぞれの中心Θは、上記ボール状６角部の外部に位置している。なお、上記断面積低減部１ｃを形成する上記大半径の円弧Ｅの半径は、上記断面積逓増部１ａを形成する上記小半径の円弧の半径の、例えば２倍を超える大きさとされている。
【００２０】
この発明のボールポイントヘキサゴンレンチは以上のように構成され、この鏑状のボール状６角部１を、図２に示すように６角穴付きボルト５４の６角穴５５に対し鉛直方向に挿し込んだ場合にも、これの先端部まで軸部に連続する６角面が形成されているため、従来の、図１９に示すような全体が丸味を持つものに比べて、６角穴５５に対する係合が確実となる。つまり回転方向の遊びＤが極力小さくなるため、軸部３の回転トルクを６角穴付きボルト５４に確実に伝えることができる。
【００２１】
また、図３および図４に示すように、本実施例では、ボールポイントヘキサゴンレンチの軸部３を斜めにして、狭い作業スペース内にある６角穴付きボルト５４の６角穴５５にボール状６角部１を挿入した場合には、首部２が６角穴５５の開口縁Ｈに接触してからも軸部３をさらに傾倒可能とせしめるために、傾倒の中心となる、上記各大半径の円弧Ｅのそれぞれの中心Θの内の一つを、６角穴５５の開口縁Ｈ外に位置させる。
【００２２】
そして、上記ボール状６角部１は、互いに収束する６つの側面のそれぞれが、上記ボール状６角部１の外部にそれぞれ中心を有する上記大半径の円弧Ｅのそれぞれに沿った形状に形成されているので、上記首部２が上記６角穴５５の開口縁Ｈに接触してからも、その接触部に最も近い上記大半径の円弧Ｅの中心Θを傾倒中心として、上記軸部３をさらに傾倒させることができる。
【００２３】
すなわち、上記ボールポイントヘキサゴンレンチによれば、図４に示すように、軸部３を大きく傾斜させても、ボール状６角部１の峰部Ｂと６角穴５５の壁面Ａとが干渉することがない。
【００２４】
この結果、軸部３の回転操作により６角穴付きボルト５４が抜き方向に上昇し、軸部３と６角穴付きボルト５４との相対角度が変化した場合でも、ボール状６角部１が６角穴５５から抜けなくなる等の問題が起こることがなく、６角穴５５へのレンチの抜き差しが容易に迅速に行えることとなる。
【００２５】
【考案の効果】
以上のように、本発明によれば、首部を細くすることなしに、傾倒角度の大きいボールポイントヘキサゴンレンチを提供することができる。
【図面の簡単な説明】
【図１】この発明の一実施例によるボールポイントヘキサゴンレンチを示す要部の正面図である。
【図２】図１におけるボール状６角部と６角穴との係合関係を示す平面断面図である。
【図３】図１におけるボール状６角部と６角穴との係合関係を示す正面断面図である。
【図４】図１におけるボール状６角部と６角穴との係合関係を示す説明図である。
【図５】従来のヘキサゴンレンチを示す斜視図である。
【図６】従来のボールポイントヘキサゴンレンチを示す斜視図である。
【図７】従来のボールポイントヘキサゴンレンチのボール状の６角部を示す正面図である。
【図８】図７におけるボール状６角部を示す側面図である。
【図９】図７におけるボール状６角部の６角穴に対する係合関係を示す正面図である。
【図１０】図７におけるボール状６角部の６角穴に対する係合関係を示す側面図である。
【図１１】従来のボールポイントヘキサゴンレンチにより６角穴付きボルトを緩め開始する状況を示す断面図である。
【図１２】図１１における６角穴付きボルトの緩め限界状況を示す断面図である。
【図１３】従来の他のボールポイントヘキサゴンレンチのボール状６角部を示す正面図である。
【図１４】図１３におけるボール状６角部を示す側面図である。
【図１５】図１３におけるボール状６角部の６角穴に対する係合関係を示す正面図である。
【図１６】図７におけるボール状６角部の６角穴に対する係合関係を示す側面図である。
【図１７】従来のボール状６角部と６角穴との係合関係を示す正面断面図である。
【図１８】従来のボール状６角部と６角穴との係合関係を示す説明図である。
【図１９】従来のボール状６角部と６角穴との係合関係を示す平面断面図である。
【符号の説明】
１  ボール状６角部
２  首部
３  軸部
５４  ６角穴付きボルト
５５  ６角穴
Θ  傾倒中心
Ｈ  開口縁
【図１】
0003606529.tif 000002
【図２】
0003606529.tif 000003
【図３】
0003606529.tif 000004
【図４】
0003606529.tif 000005
【図５】
0003606529.tif 000006
【図６】
0003606529.tif 000007
【図７】
0003606529.tif 000008
【図８】
0003606529.tif 000009
【図９】
0003606529.tif 000010
【図１０】
0003606529.tif 000011
【図１１】
0003606529.tif 000012
【図１２】
0003606529.tif 000013
【図１３】
0003606529.tif 000014
【図１４】
0003606529.tif 000015
【図１５】
0003606529.tif 000016
【図１６】
0003606529.tif 000017
【図１７】
0003606529.tif 000018
【図１８】
0003606529.tif 000019
【図１９】
0003606529.tif 000020